(57)【要約】【課題】  複数のスタッフが共同でドキュメントを作成する作業を支援できるドキュメント処理装置を提供する。【解決手段】  ドキュメント上の領域を画定する情報と、情報送信先を特定する宛先情報とを関連づけて記憶しており、所定媒体上に形成されたドキュメント画像と、当該ドキュメント画像に対する記述画像とを読取り、当該読み取られた記述画像に関連するドキュメント画像上の少なくとも一部の領域を画定し、当該画定された領域に関連づけられて、記憶手段に格納されている宛先情報を取得し、当該取得した宛先情報が、読み取ったドキュメント画像及び記述画像の送信先を特定する情報として所定送信処理に供される。【選択図】        図１
2006033327.tif 000002
【特許請求の範囲】
【請求項１】
ドキュメント上の領域を画定する情報と、情報送信先を特定する宛先情報とを関連づけて記憶する記憶手段と、
所定媒体上に形成されたドキュメント画像と、当該ドキュメント画像に対する記述画像とを読取るスキャン手段と、
前記読み取られた記述画像に関連する、前記ドキュメント画像上の少なくとも一部の領域を画定する手段と、
前記画定された領域に関連づけられて、前記記憶手段に格納されている宛先情報を取得する手段と、
を含み、
当該取得した宛先情報が、前記読み取ったドキュメント画像及び記述画像の送信先を特定する情報として所定送信処理に供されることを特徴とするドキュメント処理装置。
【請求項２】
所定の媒体上の領域を画定する情報と、情報送信先を特定する宛先情報とを関連づけて記憶する記憶手段にアクセス可能なコンピュータを用い、
所定媒体上に形成されたドキュメント画像と、当該ドキュメント画像に対する記述画像との入力を受けて、当該記述画像に関連する、前記ドキュメント画像上の少なくとも一部の領域を画定し、
前記画定された領域に関連づけられて、前記記憶手段に格納されている宛先情報を取得し、
当該取得した宛先情報を、前記ドキュメント画像及び記述画像の送信先を特定する情報として所定送信処理を行う、
ことを特徴とするドキュメント処理方法。
【請求項３】
所定の媒体上の領域を画定する情報と、情報送信先を特定する宛先情報とを関連づけて記憶する記憶手段にアクセス可能なコンピュータに、
所定媒体上に形成されたドキュメント画像と、当該ドキュメント画像に対する記述画像とを読取る手順と、
前記読み取られた記述画像に関連する、前記ドキュメント画像上の少なくとも一部の領域を画定する手順と、
前記画定された領域に関連づけられて、前記記憶手段に格納されている宛先情報を取得する手順と、
当該取得した宛先情報を、前記読み取ったドキュメントの送信先を特定する情報として所定送信処理に供する手順と、
を実行させることを特徴とするプログラム。
【発明の詳細な説明】
【技術分野】
【０００１】
本発明は、複数のスタッフが共同でドキュメントを作成する作業を支援するドキュメント処理装置に関する。
【背景技術】
【０００２】
書籍を始めとする印刷物等、近年の多くのドキュメントは、複数のスタッフの共同作業によって作成されている。例えば、カメラマンが撮影した写真と、ライターが記述した文章とをデザイナがレイアウトし、さらにカットなどを描き添えて、原稿を作成する。また、編集者が当該原稿を確認し、修正を要する部分があれば、原稿に赤色のペンで修正依頼を描き加えてカメラマンやライター、デザイナなどに戻して修正依頼を行うことになっている。
【０００３】
従来、ここで赤色のペン入れ（いわゆる「赤入れ」）を行った原稿をライターなどに戻す作業は、ファクシミリなどを利用して行われていた。また、近年では原稿を電子的に例えば電子メールなどを用いて授受する、いわゆるリモートプルーフも試みられている。
【特許文献１】特開平０９−１５３９１１号公報
【発明の開示】
【発明が解決しようとする課題】
【０００４】
しかしながら、上記従来の赤入れの方法では、修正依頼の数が多くなると、赤入れ済みのドキュメントを受け入れたライターやデザイナの側で、修正依頼を見落とす可能性が高くなる。特に、編集者は原稿全体をチェックするため、ライターやデザイナなど、各担当者ごとの修正依頼を記述するのではなく、すべての修正依頼を記述してしまう。
【０００５】
つまり、ライター側で受け取った赤入れ後の原稿には、デザイナ向けの修正依頼も含まれているのである。さらに編集者は、原稿の量が多くなるほど、どの担当者の分を修正したのかを把握することが困難になり、例えばデザイナ向けの修正がなくても、デザイナに赤入れ後の原稿を配信してしまうなどの場合も生じていた。この場合、赤入れ後の原稿を受領したデザイナは、自己担当分の修正個所がないことを一々確認しなければならず、利便性が低い。
【０００６】
そこで例えば、修正依頼自体を別の用紙に書き出して、各担当者ごとに分類して記述できるのであれば、特許文献１に開示されているような技術（宛先ごとに内容の異なる電子メールを送信するための技術）を利用できる可能性もある。しかしながら、赤入れは、原稿上のレイアウトについての修正依頼までも含むものであるから、個々の修正を別の用紙に書き出せば済むというものでもない。
【０００７】
本発明は上記実情に鑑みて為されたもので、赤入れなど、複数のスタッフが共同でドキュメントを作成する作業を支援できるドキュメント処理装置を提供することを、その目的の一つとする。
【課題を解決するための手段】
【０００８】
上記従来例の問題点を解決するための本発明は、ドキュメント処理装置であって、ドキュメント上の領域を画定する情報と、情報送信先を特定する宛先情報とを関連づけて記憶する記憶手段と、所定媒体上に形成されたドキュメント画像と、当該ドキュメント画像に対する記述画像とを読取るスキャン手段と、前記読み取られた記述画像に関連する、前記ドキュメント画像上の少なくとも一部の領域を画定する手段と、前記画定された領域に関連づけられて、前記記憶手段に格納されている宛先情報を取得する手段と、を含み、当該取得した宛先情報が、前記読み取ったドキュメント画像及び記述画像の送信先を特定する情報として所定送信処理に供されることを特徴としている。
【０００９】
また、上記従来例の問題点を解決するための本発明は、ドキュメント処理方法であって、所定の媒体上の領域を画定する情報と、情報送信先を特定する宛先情報とを関連づけて記憶する記憶手段にアクセス可能なコンピュータを用い、所定媒体上に形成されたドキュメント画像と、当該ドキュメント画像に対する記述画像との入力を受けて、当該記述画像に関連する、前記ドキュメント画像上の少なくとも一部の領域を画定し、前記画定された領域に関連づけられて、前記記憶手段に格納されている宛先情報を取得し、当該取得した宛先情報を、前記ドキュメント画像及び記述画像の送信先を特定する情報として所定送信処理を行う、ことを特徴としている。
【００１０】
さらに、本発明の一態様に係るプログラムは、所定の媒体上の領域を画定する情報と、情報送信先を特定する宛先情報とを関連づけて記憶する記憶手段にアクセス可能なコンピュータに、所定媒体上に形成されたドキュメント画像と、当該ドキュメント画像に対する記述画像とを読取る手順と、前記読み取られた記述画像に関連する、前記ドキュメント画像上の少なくとも一部の領域を画定する手順と、前記画定された領域に関連づけられて、前記記憶手段に格納されている宛先情報を取得する手順と、当該取得した宛先情報を、前記読み取ったドキュメントの送信先を特定する情報として所定送信処理に供する手順と、を実行させることを特徴としている。
【発明を実施するための最良の形態】
【００１１】
本発明の実施の形態について図面を参照しながら説明する。本発明の実施の形態に係るドキュメント処理装置１は、図１に示すように、ドキュメントの作成に関与する各担当者側に配置されたドキュメント表示装置２にネットワークを介して接続されている。ドキュメント処理装置１は、制御部１１と記憶部１２とハードディスク部１３と操作部１４と表示部１５と通信部１６とスキャナ部１７とを含んで構成されている。また、ドキュメント表示装置２は、制御部２１と記憶部２２とハードディスク部２３と操作部２４と表示部２５と通信部２６とを含む。
【００１２】
ドキュメント処理装置１の制御部１１は、ＣＰＵ（Central Processing Unit）等であり、記憶部１２に格納されているプログラムに従って動作しており、スキャナ部１７が読取ったドキュメント画像及びそれに関連する記述画像（例えば赤入れにて記入された文字・線図などの画像）を取得して、これを担当者側のドキュメント表示装置２に配信する処理を行う。この処理の具体的な内容については、後に詳しく述べる。
【００１３】
記憶部１２は、ＲＡＭ（Random Access Memory）や、ＲＯＭ（Read Only Memory）等で実現され、制御部１１によって実行されるプログラムを格納している。また、この記憶部１２は、制御部１１の処理の実行に必要となる種々の情報を保持するワークメモリとしても動作する。
【００１４】
ハードディスク部１３は、制御部１１によって実行されるプログラムを格納している。またこのハードディスク部１３は、処理対象となったドキュメントなどを保持している。
【００１５】
本実施の形態においてはこのハードディスク部１３が、スキャナ部１７にて読取られる所定媒体（用紙など）上の領域を画定する情報と、情報送信先を特定する宛先情報とを関連づけて宛先データベースとして保持している。
【００１６】
操作部１４は、キーボードやマウスなどであり、利用者の操作の内容を受け入れて制御部１１に出力する。表示部１５は、ディスプレイ等であり、制御部１１から入力される指示に従って利用者に提示するべき情報を表示する。
【００１７】
通信部１６は、ネットワークに接続されており、ドキュメント表示装置２から種々のデータを受信して制御部１１に出力する。またこの通信部１６は、制御部１１から入力される指示に従い、種々のデータをその宛先となったドキュメント表示装置２に送出する。
【００１８】
スキャナ部１７は、用紙などの所定媒体上に記述された文字・線画を光学的に読み取って、当該読み取った結果、得られた画像データを制御部１１に出力する。この画像データは、ドキュメントの画像と、当該ドキュメント画像に関係して、媒体上に記入された記述画像とを含む。
【００１９】
ドキュメント表示装置２の制御部２１は、ＣＰＵ等であり、記憶部２２に格納されているプログラムに従って動作しており、ドキュメント処理装置１から受信したドキュメント画像と記述画像とを表示する処理（表示処理）を実行している。この処理の具体的な内容については、後に詳しく述べる。
【００２０】
記憶部２２は、ＲＡＭや、ＲＯＭ等で実現され、制御部２１によって実行されるプログラムを格納している。また、この記憶部２２は、制御部２１の処理の実行に必要となる種々の情報を保持するワークメモリとしても動作する。
【００２１】
ハードディスク部２３は、制御部２１によって実行されるプログラムを格納している。またこのハードディスク部２３は、処理対象となったドキュメントなどを保持している。
【００２２】
操作部２４は、キーボードやマウスなどであり、利用者の操作の内容を受け入れて制御部２１に出力する。表示部２５は、ディスプレイ等であり、制御部２１から入力される指示に従って利用者に提示するべき情報を表示する。
【００２３】
通信部２６は、ネットワークに接続されており、ドキュメント処理装置１から種々のデータを受信して制御部２１に出力する。またこの通信部２６は、制御部２１から入力される指示に従い、種々のデータをその宛先となったドキュメント処理装置１に送出する。
【００２４】
ここで、ドキュメント処理装置１の制御部１１によって行われる各処理について説明する。
【００２５】
［宛先データベースの形成の例１］
本実施の形態において処理の対象となるドキュメントは、各担当者が生成した素材データを編集者側にてレイアウトして合成し、印刷出力したものである。具体的に編集者は、いわゆるレイアウトソフトウエアを利用して、各素材データを記録媒体上に配置していくことになる。このとき、当該レイアウトソフトウエアが生成するレイアウトデータに基づいて宛先データベースが形成される。
【００２６】
つまり、レイアウトを行う編集者側のパーソナルコンピュータでは、各素材データにその作成者の宛先情報（電子メールアドレスなど）を予め関連付けて記録しておく。そしてレイアウトソフトウエア上でのレイアウト結果に基づいて、宛先データベースの基礎となる情報を生成する。ここで宛先データベースの基礎となる情報は、素材データに関連付けて記録された作成者の宛先情報と、その素材データが配置されたページ番号と、素材データの配置された座標値（例えば記録媒体の左上隅を基準点としたときの、素材データを取囲む矩形の左上及び右下座標値など）とを関連付けたものである。
【００２７】
ドキュメント処理装置１の制御部１１は、編集者側のパーソナルコンピュータで生成された宛先データベースの基礎となる情報を取得して、宛先データベースに、ドキュメントを識別する情報に関連付けて格納する。これにより、ハードディスク部１３には、宛先データベースとして図２に示すように、ドキュメントを識別する情報（ドキュメント名など）ごとに、当該ドキュメントに含まれる各素材データについて、その素材データの作成者の宛先情報と、そのその素材データが配置されたページ番号並びに、素材データの配置された座標値とが関連付けて保持されているようになる。ここでページ番号と座標値とがドキュメント上の一部領域を画定する情報に相当する。
【００２８】
［宛先データベースの形成の例２］
また、宛先データベースは、次のようにして生成することとしてもよい。ドキュメント処理装置１の利用者は、赤入れ前の印刷物（ドキュメントが印刷された用紙）をスキャナ部１７で光学的に読み取らせ、宛先データベースの作成を指示する処理の開始を制御部１１に指示する。
【００２９】
制御部１１は、表示部１５に読み取ったドキュメントを表示する。利用者が操作部１４を操作して、表示されたドキュメント上の一部領域を指定する（例えばマウスなどのポインティングデバイスを用いて、矩形の左上及び右下頂点を指定することで、矩形領域を指定する）と、制御部１１は、当該領域に関連付けるべき宛先情報の入力を求める。ここで利用者が宛先情報を入力すると、指定した領域を画定する情報（例えば上記矩形の左上及び右下頂点の座標値）と、宛先情報とを関連付けて宛先データベースとしてハードディスク部１３に格納する。
【００３０】
また、利用者が領域を指定する操作の代りに、領域指定操作を完了する旨の指示を行うと、制御部１１は、処理を終了する。
【００３１】
なお、ドキュメントが複数のページからなる場合は、各ページについて上述の処理を行い、領域を画定する情報にページ番号を含める。これによっても、ドキュメントを識別する情報（ドキュメント名など）ごとに、当該ドキュメントに含まれる各素材データについて、その素材データの作成者の宛先情報と、そのその素材データが配置されたページ番号並びに、素材データの配置された座標値とが関連付けて保持されているようになる。
【００３２】
［座標値の単位］
これら宛先データベースの形成の処理において、領域を画定する座標値は、例えば、ドキュメントのページの幅及び高さの最大値に対する比として表現しておくことができる。具体的に、ページの横幅が９６００ドットの画像上で、横方向の座標値が２００であれば、座標値を「４（％）」として表す。これにより、スキャナ部１７における読み取り解像度がどのようなものであっても、読み取られる座標値に影響がなくなる。
【００３３】
［宛先決定処理］
利用者は、赤入れ後のドキュメントをスキャナ部１７にセットし、操作部１４を介してドキュメント処理プログラムを開始する旨の指示を行う。制御部１１は、この指示を受けて、記憶部１２に格納されているドキュメント処理プログラムを読出して、その実行を開始する。制御部１１は、まずスキャナ部１７にドキュメントの画像等を読み取るよう指示する。
【００３４】
そして制御部１１は、スキャナ部１７からドキュメントの画像と、当該ドキュメント画像に関係して、媒体上に記入された記述画像とを含む画像データの入力を受けて、当該画像データを記憶部１２に格納する。なお、ドキュメントが複数ページからなるときには、利用者はページ順にスキャナ部１７にセットする。制御部１１は、スキャナ部１７からページ順に各ページの画像データの入力を受け、各ページの番号に関連付けて、そのページの画像データを記憶部１２に格納する。
【００３５】
制御部１１は、記憶部１２に格納した各画像データから記述画像部分を検出する。具体的にモノクロでドキュメントを印刷し、赤入れを赤色のペンで行っている場合、赤色の画像部分を抽出することで、記述画像部分を検出できる。また、元のドキュメントの画像データが生成できる場合は、記憶部１２に格納されている画像データから元のドキュメントの画像データを除去する。すなわち、記憶部１２に格納されている画像データ上の各画素の値から、元のドキュメントの画像データ上の対応する画素の値を差引する。これにより、記憶部１２に格納されている画像データ内で元の画像データに含まれていた部分（つまりドキュメントの内容部分）が除去され、記述画像部分を残した画像データが生成されることになる。これによっても、記述画像部分を検出することができる。
【００３６】
制御部１１は、検出した記述画像部分が、ドキュメント画像上のどの領域に関連する記述画像であるかを判断する。具体的に制御部１１は、図３に示す処理を開始し、記憶部１２内に送信先リストを格納する領域を確保して、空の宛先リストを生成する（Ｓ１；初期化処理）、そして記憶部１２に格納した画像データをページ順に一つ取り出し（Ｓ２）、当該取り出した画像データに対応して宛先データベースに格納されている情報を読み出す。そして宛先データベース内に、処理Ｓ１で取り出した画像データのページ番号を含む、ドキュメント上の一部領域を画定する情報（つまり対応するページ内で画定された領域の座標値）を参照して、記述画像部分を含んでいる領域を検索する（Ｓ３）。
【００３７】
例えば、図４（ａ）に示すように、領域Ａ，Ｂ，Ｃが画定されている場合に、検出された記述画像部分Ｑが領域Ｃ内に含まれるとすると、記述画像部分Ｑを含んでいる領域として領域Ｃを特定する。また、図４（ｂ）に示すように、領域Ａ，Ｃにそれぞれ検出された記述画像部分Ｒ，Ｓが含まれている場合、記述画像部分Ｒ，Ｓに関係する領域として領域Ａ，Ｃを特定する。
【００３８】
制御部１１は、この処理Ｓ３での検索の結果、特定された領域に対応する宛先情報を取得し、記憶部１２に格納している、現在の送信先リストとの論理和を演算し、その演算結果を新たな送信先リストとして記憶部１２に格納する（Ｓ４）。具体的に図４（ａ）に示した例であれば、領域Ｃに関連付けて宛先データベースに格納されている宛先情報（例えばγとする）を取り出す。そして現在の送信先リストが「α，β」であれば論理和の演算結果は、「α，β，γ」となり、宛先情報が「γ」であり、現在の送信先リストが「α，γ」であれば、論理和の演算結果は「α，γ」となる。
【００３９】
制御部１１は、処理していない画像データがあるか否かを判断し（Ｓ５）、処理していない画像データがあれば、当該画像データを取り出して処理するよう、処理Ｓ２に戻って処理を続ける。一方、処理Ｓ５において処理していない画像データがなければ、処理を終了する。
【００４０】
なお、ここでは宛先情報を順次読出しながら論理和を演算して送信先リストを生成しているが、一旦すべての宛先情報のリストを生成しておき、その後重複を排除する処理（例えばUNIX（登録商標）で広く利用されているuniqコマンドと同様の処理）を実行して送信先リストを生成してもよい。
【００４１】
［送信制御処理］
制御部１１は、宛先情報抽出処理によって生成された送信先リストを参照し、各送信先に対して記憶部１２に格納されている画像データを送信する。
【００４２】
なお、ここでは、ドキュメント単位で送信先リストを生成して送信することとしたが、これに代えてページごとに送信先リストを生成し、ページごとに送信してもよい。
【００４３】
［動作例］
つまり本実施の形態のドキュメント処理装置１は次のように動作する。ここではハードディスク部１３に宛先データベースが格納されているものとする。
【００４４】
ドキュメント処理装置１の利用者は、校正担当者が校正の内容を書入れた（赤入れした）ドキュメントをスキャナ部１７にセットして、操作部１４を操作して読み取らせる。
【００４５】
例えば校正担当者が、ライター宛の修正依頼と、カメラマン宛の修正依頼とを記入した場合、ライターによって作成された素材データのレイアウトされた領域内にライター宛の修正依頼が記入され、また、カメラマンが撮影した写真（素材データ）がレイアウトされている領域内にカメラマン宛の修正依頼が記入される。
【００４６】
制御部１１は、記入された修正依頼を記述画像部分として検出し、検出した記述画像部分を含む領域（ライターによって作成された素材データのレイアウトされた領域と、カメラマンが撮影した写真（素材データ）がレイアウトされている領域と）を特定する。
【００４７】
そして、当該特定した領域に関連付けられた宛先情報を宛先データベースから読み出す。ここではライターの電子メールアドレス（例えば「writer@xxx.yyy.zzz」）と、カメラマンの電子メールアドレス（例えば「camera@yyy.zzz.xxx」）とを含む送信先リストを生成する。
【００４８】
そして制御部１１は、送信先リストに含まれる各宛先に対してドキュメント画像と記述画像とを含む画像データ（スキャナ部１７で読み取った画像データそのものでよい）を送信する。この場合ライターには、カメラマン宛の修正依頼をも送信されることとなるが、修正依頼の対象とならない担当者（例えばデザイナ）に対しては関連データは送信されない。
【００４９】
［表示処理］
次に、ドキュメント表示装置２の制御部２１における表示処理について説明する。制御部２１は、ドキュメント処理装置１からドキュメント画像と記述画像とを含む画像データを受信すると、これをハードディスク部２３に格納して保持する。具体的に、ドキュメント画像や記述画像の画像データは、電子メールの添付ファイルとして受信される。制御部２１は、利用者から当該画像データを表示するべき旨の指示を受けると、当該画像データを表示部１５に表示する処理を行う。
【００５０】
［動作］
このように本実施の形態によると、ドキュメント処理装置１がドキュメントに対する修正指示を検出し、修正指示が記入されていない領域の担当者に対しては、当該修正指示（の記述画像）を送信しないように制御している。
【００５１】
これにより、ドキュメントの作成に関わる担当者のうち、修正指示を受けない担当者が、他人宛の修正指示を受け取ることがなくなり、利便性を向上できる。
【００５２】
［変形例］
また、ここでは、送信先リストに含まれる各宛先に対して同一のドキュメント画像と記述画像とが送信される例について述べたが、これに限られるものではない。
【００５３】
例えば制御部１１は次のような動作を行ってもよい。すなわち、送信先リストに含まれる宛先情報ごとに、宛先データベースを参照して、当該宛先情報に関連付けられた領域を特定する情報を取得する。そして送信対象の画像データ（ドキュメント画像と記述画像とを含む画像データ）のうち、当該取得した情報で特定される領域以外の領域に所定のスクリーン画像を合成した合成画像を生成する。こうして生成される合成画像は例えば、次のようになる。図５（ａ）に示したように、ドキュメントのページｎに、座標値（ｘ１，ｙ１）から（ｘ２，ｙ２）までの領域Ｐと、座標値（ｘ３，ｙ３）から（ｘ４，ｙ４）までの領域Ｑとが設定されている場合を例とする。この場合、宛先データベース内には図５（ｂ）に例示するように各領域について宛先情報が関連づけられる。ここでは領域Ｐについてカメラマンの電子メールアドレス（例えば「camera@yyy.zzz.xxx」）が関連づけられ、領域Ｑについてライターの電子メールアドレス（例えば「writer@xxx.yyy.zzz」）が関連づけられているとする。
【００５４】
ここで校正担当者が、各領域Ｐ，Ｑにそれぞれ赤入れを行うと、制御部１１の処理により送信先リストには、カメラマンの電子メールアドレス（例えば「camera@yyy.zzz.xxx」）と、ライターの電子メールアドレス（例えば「writer@xxx.yyy.zzz」）との双方が含まれる。
【００５５】
そして、制御部１１は、ライターの電子メールアドレス（宛先情報）について、当該ライターの電子メールアドレスが関連づけられている以外の領域（領域Ｐ）にスクリーン画像を合成して図５（ｃ）のような合成画像を生成する。
【００５６】
一方、制御部１１は、カメラマンの電子メールアドレス（宛先情報）について、当該カメラマンの電子メールアドレスが関連づけられている以外の領域（領域Ｑ）にスクリーン画像を合成して図５（ｄ）のような合成画像を生成する。
【００５７】
なお、これらの合成画像においてスクリーン画像は、ハッチングの画像としているが、これに限られない。
【００５８】
制御部１１は、こうして宛先情報ごとに生成した合成画像を、それぞれ対応する宛先情報に示される電子メールアドレスに対して送信する。
【００５９】
これによると、各担当者は、自ら担当した部分に対する赤入れの内容を容易に認識できるようになる。
【００６０】
さらに、ここで図５（ｃ），（ｄ）に示したようにスクリーン画像を合成する例について述べたが、これに代えて、上記例において例えばライター宛ての電子メールアドレスが関連づけられている領域Ｑ部分の画像をページ全体の画像から抽出して（抽出された画像は領域Ｑのサイズとなる）、ライター宛ての電子メールアドレスに送信してもよい。
【００６１】
このように、各宛先に対してページ全体の画像の一部を抽出して送信することで、処理負荷や通信に係る負荷を低減できる。
【図面の簡単な説明】
【００６２】
【図１】本発明の実施の形態に係るドキュメント処理装置とそれに接続されるドキュメント表示装置の構成ブロック図である。
【図２】宛先データベースの内容例を表す説明図である。
【図３】送信先リストの生成処理例を表すフローチャート図である。
【図４】領域の認識例を表す説明図である。
【図５】宛先情報ごとの合成画像の生成例を表す説明図である。
【符号の説明】
【００６３】
１  ドキュメント処理装置、２  ドキュメント表示装置、１１，２１  制御部、１２，２２  記憶部、１３，２３  ハードディスク部、１４，２４  操作部、１５，２５  表示部、１６，２６  通信部，１７  スキャナ部。
【図１】
2006033327.tif 000003
【図２】
2006033327.tif 000004
【図３】
2006033327.tif 000005
【図４】
2006033327.tif 000006
【図５】
2006033327.tif 000007